(57)【要約】【目的】所望の撮影者のサムネイル画像を見やすくする。【構成】撮影者を表示する領域51，52，53の右側に，その撮影者によって撮影された画像のサムネイル画像71，72，73を表示するサムネイル画像表示列領域61，62，63が表示されている。撮影者ごとに，それぞれの撮影者によって撮影された画像のサムネイル画像が表示されるので，所望の撮影者の画像を見つけやすくなる。【選択図】図７
2007282139.tif 000002
【特許請求の範囲】
【請求項１】
多数駒の被写体像をそれらの被写体像を撮影した撮影者ごとに分類する撮影者分類手段，
上記撮影者分類手段によって撮影者ごとに分類された多数駒の被写体像を撮影時刻順に並び替える並び替え手段，および
上記並び替え手段によって撮影時刻順に並び替えられた多数駒の被写体像を同一時間軸で撮影者ごとに分類して，表示画面に一定方向に表示するように表示装置を制御する第１の表示制御手段，
を備えた画像再生装置。
【請求項２】
特定の撮影者を選択する撮影者選択手段，
上記撮影者選択手段によって選択された撮影者に対応する被写体像の表示列の時間軸の移動方向を指定する移動方向指定手段，および
上記移動方向指定手段によって指定された移動方向に時間軸を移動して上記表示列を表示するように上記表示装置を制御する第２の表示制御手段，
をさらに備えた請求項１に記載の画像再生装置。
【請求項３】
特定の撮影者を選択する撮影者選択手段，
上記撮影者選択手段によって選択されている撮影者に対応する被写体像の表示列の中から特定の被写体像を選択する被写体像選択手段，
上記被写体像選択手段によって選択された被写体像のテーマと同じテーマの被写体像を，上記撮影者選択手段によって選択された撮影者を除く撮影者に対応する表示列の中から見つけ出す検索手段，および
上記検索手段によって見つけられた被写体像と上記被写体像選択手段によって選択された被写体像とが他の被写体像と区別して表示されるように上記表示装置を制御する第３の表示制御手段，
をさらに備えた請求項１に記載の画像再生装置。
【請求項４】
撮影者分類手段が，多数駒の被写体像をそれらの被写体像を撮影した撮影者ごとに分類し，
並び替え手段が，撮影者ごとに分類された多数駒の被写体像を撮影時刻順に並び替え，
表示制御手段が，撮影時刻順に並び替えられた多数駒の被写体像を同一時間軸で撮影者ごとに分類して，表示画面に一定方向に表示するように表示装置を制御する，
画像再生装置の制御方法。
【請求項５】
多数駒の被写体像をそれらの被写体像を撮影した撮影者ごとに分類する手順，
撮影者ごとに分類された多数駒の被写体像を撮影時刻順に並び替える手順，
撮影時刻順に並び替えられた多数駒の被写体像を同一時間軸で撮影者ごとに分類して，表示画面に一定方向に表示するように表示装置を制御する手順を実行する画像再生装置の制御プログラム。
【発明の詳細な説明】
【技術分野】
【０００１】
この発明は，画像再生装置ならびにその制御方法およびその制御プログラムに関する。
【背景技術】
【０００２】
多数の駒の被写体像がある場合には，単に多くの画像を表示したのでは，所望の画像を見つけ出しにくいことがある。このために時間情報を有する画像データを見つけ出し時間情報にしたがって第１方向にならべて表示するものがある（特許文献１）。
【特許文献１】特開2005-275738号公報
【０００３】
しかしながら，このようなものでは，所望の撮影者の画像を見たい場合には余り適さない。
【発明の開示】
【０００４】
この発明は，所望の撮影者の画像を見やすくすることを目的とする。
【０００５】
この発明による画像再生装置は，多数駒の被写体像をそれらの被写体像を撮影した撮影者ごとに分類する撮影者分類手段，上記撮影者分類手段によって撮影者ごとに分類された多数駒の被写体像を撮影時刻順に並び替える並び替え手段，および上記並び替え手段によって撮影時刻順に並び替えられた多数駒の被写体像を同一時間軸で撮影者ごとに分類して，表示画面に一定方向に表示するように表示装置を制御する第１の表示制御手段を備えていることを特徴とする。
【０００６】
この発明は，上記画像再生装置に適した制御方法も提供している。すなわち，この方法は，撮影者分類手段が，多数駒の被写体像をそれらの被写体像を撮影した撮影者ごとに分類し，並び替え手段が，撮影者ごとに分類された多数駒の被写体像を撮影時刻順に並び替え，表示制御手段が，撮影時刻順に並び替えられた多数駒の被写体像を同一時間軸で撮影者ごとに分類して，表示画面に一定方向に表示するように表示装置を制御するものである。
【０００７】
この発明は，上記画像再生装置の制御方法に適したプログラムも提供している。
【０００８】
この発明によると，多数駒の被写体像が撮影者ごとに分類される。撮影者ごとに分類された多数駒の被写体像が撮影時刻順に並び替えられる。並び替えられた多数駒の被写体像が，同一時間軸で撮影者ごとに分類されて一定方向に表示（並列表示）される。多数駒の被写体像が撮影者ごとに分類されて，かつ撮影時刻順に（並列に）表示されるので，所望の撮影者の画像を見つけやすい。とくに，撮影時刻順に表示されているので，その撮影者がどのような経緯で被写体を撮像したかも分かるようになる。撮影者ごとに（並列）表示されるので，撮影者ごとの被写体像の比較もできる。
【０００９】
特定の撮影者を選択する撮影者選択手段，上記撮影者選択手段によって選択された撮影者に対応する被写体像の表示列の時間軸の移動方向を指定する移動方向指定手段，および上記移動方向指定手段によって指定された移動方向に時間軸を移動して上記表示列を表示するように上記表示装置を制御する第２の表示制御手段をさらに備えてもよい。
【００１０】
特定の撮影者を選択する撮影者選択手段，上記撮影者選択手段によって選択されている撮影者に対応する被写体像の表示列の中から特定の被写体像を選択する被写体像選択手段，上記被写体像選択手段によって選択された被写体像のテーマと同じテーマの被写体像を，上記撮影者選択手段によって選択された撮影者を除く撮影者に対応する表示列の中から見つけ出す検索手段，および上記検索手段によって見つけられた被写体像と上記被写体像選択手段によって選択された被写体像とが他の被写体像と区別して表示されるように上記表示装置を制御する第３の表示制御手段をさらに備えるようにしてもよい。
【実施例】
【００１１】
図１は，この発明の実施例を示すもので，ディジタル・スチル・カメラを背面から見た斜視図である。
【００１２】
ディジタル・スチル・カメラ１の上面の右側には，シャッタ・レリーズ・ボタン２が設けられている。
【００１３】
ディジタル・スチル・カメラ１の背面には，ほぼ全体にわたって表示画面４が設けられている。表示画面４の右上には，上下左右の矢印が押下可能に形成されているいわゆる十字キー３が設けられている。この十字キー３の下には，並列／一覧表示ボタン５，一部／全選択ボタン６およびテーマ・ボタン７が設けられている。
【００１４】
並列／一覧表示ボタン５は，後述するように，サムネイル画像を撮影者ごとの表示列に並列して表示する並列表示とサムネイル画像を一覧で表示する一覧表示とを切り換える指令を与えるものである。一部／全選択ボタン６は後述するように，撮影者ごとの表示列を一部の撮影者について移動させるか，表示画面に表示されているすべての撮影者について移動させるかを切り換える指令を与えるものである。テーマ・ボタン７は，同じテーマをもつサムネイル画像をそろえて表示させる指令を与えるものである。
【００１５】
図２は，ディジタル・スチル・カメラ１の電気的構成を示すブロック図である。
【００１６】
ディジタル・スチル・カメラの全体の動作は，制御回路10によって統括される。
【００１７】
上述したシャッタ・レリーズ・ボタン２，十字キー３，並列／一覧表示ボタン５，一部／全選択ボタン６，テーマ・ボタン７，モード・ダイアル等の各種スイッチ，ボタン類12からの出力信号は，制御回路10に入力する。制御回路13には，動作プログラム，所定のデータ等を記憶するメモリ13が接続されている。
【００１８】
撮像モードが設定されると，撮像装置11によって被写体が撮像され，被写体像を表す画像データが制御回路10に入力する。画像データは，制御回路10によって表示制御回路16に入力する。表示制御回路16により表示装置17が制御されることにより，表示装置17の表示画面に撮像により得られた被写体像が表示される。
【００１９】
シャッタ・レリーズ・ボタンが押されると，上述のように撮像により得られた画像データは画像ファイル形式にされて，メモリ・カード・インターフェイス18を介してメモリ・カード19に与えられる。メモリ・カード19に撮像により得られた画像ファイルが記録される。
【００２０】
この実施例においては，撮像により被写体像のテーマをつけることができる。このテーマは上述したボタン類12を用いてつけることができる。たとえば，メニュー・ボタンによりメニューを表示させテーマ入力メニューが設定される。テーマ入力メニューにおいて，50音またはアルファベットが順に表示され，所望のテーマを表す文字列が設定される。テーマを表すデータは，画像ファイルのヘッダ記録領域に記録される。テーマは，撮影時に付けても良いし，画像ファイルの再生時につけてもよい。
【００２１】
この実施例によるディジタル・スチル・カメラは，他のディジタル・スチル・カメラ（ディジタル・スチル・カメラに限らず，画像データを送信できる装置であればよい）から送信された画像データを受信することができる。このために，ディジタル・スチル・カメラには，通信制御回路14および通信回路15が設けられている。他のディジタル・スチル・カメラから送信された画像データは通信回路15により受信され，通信制御回路14によって制御回路10に入力する。入力した画像データは，メモリ・カード・インターフェイス18を介してメモリ・カード19に与えられることにより，メモリ・カード19に記録される。このように，他の撮影者によって撮影された画像データもメモリ・カード19に記録できる。
【００２２】
再生モードが設定されると，メモリ・カード19に記録されている画像ファイルが読み出され，メモリ・カード・インターフェイス18を介して制御回路10に入力する。読み出された画像ファイルは，表示制御回路16に与えられる。表示制御回路16によって表示装置17が制御されることにより，メモリ・カード19から読み出された画像ファイルによって表される画像が表示装置17の表示画面上に表示される。
【００２３】
この実施例によるディジタル・スチル・カメラ１においては，表示画面４のほぼ全体にわたって一駒の画像を表示する通常の画像再生のほかに，画像ファイルに含まれているサムネイル画像データによって表されるサムネイル画像を，上述のように一覧または撮影者ごとに表示することもできる。このような再生について詳しくは，後述する。
【００２４】
通信回路15によって，このディジタル・スチル・カメラの動作プログラムを受信することにより，その動作プログラムをメモリ13に記憶させることができる。このようにして記憶された動作プログラムにもとづいて後述のようにディジタル・スチル・カメラ１が動作する。
【００２５】
図３は，メモリ・カード19に記録されている画像ファイルのファイル構造（データ構造）の一例である。
【００２６】
画像ファイルには，ヘッダ記録領域と画像データ記録領域とが含まれている。
【００２７】
画像データ記録領域には，画像データが記録されている。
【００２８】
ヘッダ記録領域には，画像ファイルの管理データなどのヘッダ情報が記録されている。とくに，この実施例においては，ヘッダ記録領域に，画像データ記録領域に記録されている画像データによって表される被写体像の撮影者を示す撮影者情報，その被写体像の撮影時刻情報，その被写体像のテーマを表すテーマ情報，サムネイル画像データなども記録されている。
【００２９】
図４および図５は，サムネイル画像を再生する処理手順を示すフローチャートである。図６から図11は，表示画面に表示される画像の一例である。
【００３０】
メモリ・カード19に記録されている多数の画像ファイルが読み出され，それらの画像ファイルのヘッダ記録領域に記録されているサムネイル画像データが読み出される。読み出されたサムネイル画像データによって表される多数駒のサムネイル画像が表示画面４に一覧で表示される（ステップ21）。
【００３１】
図６は，サムネイル画像一覧表示の一例である。
【００３２】
一覧表示画像40には，多数のサムネイル画像41が並んで表示されている。これらのサムネイル画像41は，撮影者とは関係なく，たとえば，メモリ・カード19に記録された順序にしたがって並んでいる。多数のサムネイル画像41の内，一つのサムネイル画像41Ａを囲むようにカーソル42が表示されている。このカーソル42は，十字キー３に形成されている上下左右の矢印の押下に応じて，カーソル42が囲んでいるサムネイル画像41Ａの上下左右に表示されているサムネイル画像41を囲むように移動する。
【００３３】
図４に戻って，並列／一覧表示ボタン５が押されなければ（ステップ22でＮＯ），撮像モードの設定など再生モードが解除されない限り（ステップ23），サムネイル画像の一覧表示が続けられる（ステップ21）。
【００３４】
並列／一覧表示ボタン５が押されると（ステップ22でＹＥＳ），読み取られた多数のサムネイル画像データによって表されるサムネイル画像が撮影者ごとに分類される（ステップ24）。撮影者ごとの分類は，画像ファイルのヘッダ記録領域に記録されている撮影者情報にもとづいて行われる。つづいて，撮影者ごとに分類されたサムネイル画像が撮影時刻順に並び替えられる（ステップ25）。撮影時刻順の並び替えはヘッダ記録領域に記録されている撮影時刻情報にもとづいて行われるのはいうまでもない。すると，撮影時刻順に並べられたサムネイル画像が撮影者ごとに同一時間軸で並列表示される（ステップ26）。
【００３５】
図７は，並列表示画像（基準並列画像）の一例である。
【００３６】
並列表示画像50には，撮影者名を表示する撮影者名表示領域51，52，53が含まれている。これらの撮影者名表示領域51，52，53のそれぞれの右側には，撮影者名表示領域51，52，53に表示されている撮影者によって撮影された被写体像のサムネイル画像71，72，73が横方向に一列に表示されているサムネイル画像表示列領域61，62，63が形成されている。これらのサムネイル画像表示列領域61，62，63には，時刻が時刻順に表示されている。これらの時刻に対応する撮影時刻をもつサムネイル画像71，72，73がサムネイル画像表示列領域61，62，63に表示されている。一覧表示から並列表示に切り替わった時点では，サムネイル画像表示列領域61，62，63の時刻は縦方向に合うように同一時間軸の時刻が表示されている。
【００３７】
最上段のサムネイル画像表示列領域61の中のサムネイル画像71Ａには，サムネイル画像71Ａを囲むようにカーソル81が表示されている。カーソル81によって囲まれているサムネイル画像71Ａは，一覧表示画像40においてカーソル42によって囲まれていたサムネイル画像42と同じものである。並列表示となる前に一覧表示においてカーソル42で囲まれていたサムネイル画像41Ａと同じサムネイル画像71Ａが並列表示となった時点でカーソル81によって囲まれる。カーソル81によって囲まれているサムネイル画像71Ａの撮影者が並列表示において選択されている撮影者とされる。選択されている撮影者であることを示すために撮影者表示領域51の回りがカーソル101によって囲まれている。また，選択されている撮影者に対応するサムネイル画像表示列領域61もカーソル91によって囲まれている。さらに，このサムネイル画像表示列領域61の左側には左矢印54Ｌが，右側には右矢印54Ｒが表示されている。これらの左矢印54Ｌおよび右矢印54Ｒは，画像表示列領域61内に表示されているサムネイル画像71が撮影時刻順を維持しながらスクロールすることができることを示している。
【００３８】
さらに，カーソル81で囲まれているサムネイル画像71Ａに対応する時刻のサムネイル画像表示列領域62，63には対応時刻がわかりやすいように基準ライン111，112が表示されている。
【００３９】
図５を参照して，さらにボタンが押されると，どのボタンが押されたかが判断される（ステップ27）。
【００４０】
十字キー３の左矢印または右矢印の横矢印ボタンが押されると，表示画面４は図８に示すような並列表示となる（ステップ28）。十字キー３の上矢印または下矢印の縦矢印ボタンが押されると，表示画面４は図９に示すような並列表示となる（ステップ29）。一部／全選択ボタン６が押されると，表示画面４は図10に示すような並列表示となる（ステップ30）。テーマ・ボタン７が押されると，表示画面４は図11に示す並列表示となる（ステップ31）。再び，並列／一覧表示ボタン５が押されると，表示画面４は図６に示す一覧表示となる。
【００４１】
図８は，基準並列表示から横矢印ボタンが押されたときの並列表示画像50の一例である。
【００４２】
基準並列表示の時に横矢印ボタンが押されると，押された矢印の方向に選択されているサムネイル画像表示列領域内の画像が撮影時刻順序を維持しながらスクロールされる。サムネイル画像表示列領域61が選択されている状態であるから，十字キー３の右矢印が押されることにより，カーソル81で囲まれていたサムネイル画像71Ａの次に撮影されたサムネイル画像71がカーソル81によって囲まれる。サムネイル画像表示列領域61に表示されていたサムネイル画像71の撮影時刻よりも後の撮影時刻をもつサムネイル画像71が表示領域61内に表示されるようになる。カーソル81が移動したことに応じて，サムネイル画像表示領域62，63に表示されている基準ライン111，112も，カーソル81によって囲まれているサムネイル画像71の撮影時刻に対応する時刻の位置に移動する。
【００４３】
図９は，基準並列表示から縦矢印ボタンが押されたときの並列表示画像50の一例である。
【００４４】
基準並列表示の時に縦矢印ボタンが押されると，選択されている撮影者が変わる。上矢印が押されると，選択されていた撮影者の上の撮影者（選択されている撮影者が最上段の撮影者であれば最下段の撮影者）が選択される。逆に下矢印が押されると，選択されていた撮影者の下の撮影者（選択されている撮影者が最下段の撮影者であれば最上段の撮影者）が選択される。選択された撮影者の撮影者表示領域52がカーソル102によって囲まれ，サムネイル画像表示列領域62がカーソル92によって囲まれる。サムネイル画像表示領域62の左および右に左矢印55Ｌおよび右矢印55Ｒが表示される。
【００４５】
図10は，基準並列表示において一部／全選択ボタン６が押されたときの並列表示画像50の一例である。
【００４６】
基準並列表示から一部／全選択ボタン６が押されると，すべての撮影者が選択されることとなる。このために，撮影者表示領域51，52，53はカーソル101，102，103によって囲まれ，サムネイル画像表示列領域61，62，63はカーソル91，92，93によって囲まれる。サムネイル画像表示列領域61，62，63の左および右には左矢印54Ｌ，55Ｌ，56Ｌおよび54Ｒ，55Ｒ，56Ｒがそれぞれ表示される。十字キー３の横矢印が押されると，すべての表示列61，62，63内のサムネイル画像71，72，73がスクロールされる。
【００４７】
一部／全選択ボタン６が押された場合，一部／全選択ボタン６が押される前に囲まれていたサムネイル画像71が含まれるサムネイル画像表示列領域61内に存在するサムネイル画像71がカーソル81によって囲まれる。また，サムネイル画像表示列領域63内に存在するサムネイル画像73のように，一部／全選択ボタン６が押された場合に基準ライン111，112にもっとも近い撮影時刻をもつものがカーソル（カーソル83）によって囲まれるようにしてもよい。
【００４８】
図11は，基準並列表示においてテーマ・ボタン７が押されたときの並列表示画像50の一例である。
【００４９】
テーマ・ボタン７が押されると，選択されているサムネイル画像表示列領域61と異なる表示列領域62，63に表示されるべきサムネイル画像72，73のうち，基準並列表示においてカーソル81によって囲まれていたサムネイル画像71Ａのテーマと同じテーマをもつサムネイル画像がカーソル82，83によって囲まれる。また，カーソル81，82，83によって囲まれたサムネイル画像71，72，73が縦一列に並ぶようにサムネイル画像表示列領域61，62，63がスクロールされる。テーマごとの画像を見やすいように並べることができる。一つのサムネイル画像表示列領域の中に同じテーマのサムネイル画像が複数駒あった場合には，撮影時刻順で最初のサムネイル画像がカーソルによって囲まれるようにすればよい。所定のサムネイル画像表示列領域がスクロールされることにより，同じテーマをもつ他のサムネイル画像が縦一列で表示されるようになる。最初に選択されていたサムネイル画像71のカーソル81は，他のカーソル82，83よりも太く表示することにより，最初に選択されていたサムネイル画像71であることが分かる。
【図面の簡単な説明】
【００５０】
【図１】ディジタル・スチル・カメラを背面から見た斜視図である。
【図２】ディジタル・スチル・カメラの電気的構成を示すブロック図である。
【図３】画像ファイルのファイル構造を示している。
【図４】サムネイル画像再生処理手順の一部を示すフローチャートである。
【図５】サムネイル画像再生処理手順の一部を示すフローチャートである。
【図６】表示画面に表示される画像の一例である。
【図７】表示画面に表示される画像の一例である。
【図８】表示画面に表示される画像の一例である。
【図９】表示画面に表示される画像の一例である。
【図１０】表示画面に表示される画像の一例である。
【図１１】表示画面に表示される画像の一例である。
【符号の説明】
【００５１】
１  ディジタル・スチル・カメラ
４  表示画面
５  並列／一覧表示ボタン
６  一部／全選択ボタン
７  テーマ・ボタン
10  制御回路
16  表示制御回路
17  表示装置
【図１】
2007282139.tif 000003
【図２】
2007282139.tif 000004
【図３】
2007282139.tif 000005
【図４】
2007282139.tif 000006
【図５】
2007282139.tif 000007
【図６】
2007282139.tif 000008
【図７】
2007282139.tif 000009
【図８】
2007282139.tif 000010
【図９】
2007282139.tif 000011
【図１０】
2007282139.tif 000012
【図１１】
2007282139.tif 000013